(57)【要約】所定の破砕線に沿ってプリフォームを破砕することにより、プリフォームをベアリングキャップと連接棒に分離するための装置を提供する。この装置は、プリフォームの円筒状孔内に着座する上側及び下側の部分を規定し、心棒の半分を分離するように楔が移動する内部通路を規定する分割心棒を含む。楔部材により心棒の半分を分離すると、プリフォームがベアリングキャップと連接棒に破砕分離する。心棒の底側部分が、楔部材に対して調節可能であることで、連接棒の破砕分離中、楔と心棒が適切に位置整合される。
2005523824.tif 000002
【特許請求の範囲】
【請求項１】
円筒状孔及び間隔を置いて設けられた２つのボルトシートショルダを有する、一体プリフォームをベアリングキャップと連接棒に分離する装置であって、
ベース部材と、
前記ベース部材に対して固定され、第１の方向に延在する第１の案内路を規定するガイド部材と、
前記第１の方向に前記第１の案内路において滑動するように前記ガイド部材に取り付けられた横方向の縁部を有し、第１のスライド部材の前記横方向の縁部の中間に、前記第１の方向に延在する第２の案内路を規定する第１のスライド部材と、
前記第１の方向に前記第２の案内路において前記第１のスライド部材に対して滑動するように前記第１のスライド部材に取り付けられた第２のスライド部材と、
前記第１のスライド部材に対して固定されたキャップ部分と、前記ベース部材に対して調節可能な本体部分とを規定するように分割される心棒であって、前記キャップ部分は、前記本体部分から間隔を置いて離れた位置にある第１の位置と、前記本体部分に隣接した位置にある第２の位置との間で移動可能なことで、軸が前記第１の方向に対して垂直な第２の方向にある実質的に円筒状の本体を規定し、前記キャップ部分の移動は、前記ガイド部材に対して前記第１の案内路に沿って前記第１のスライド部材の移動と同時のものであり、前記心棒の前記キャップと本体は、テーパ状の内部通路を規定する、心棒と、
前記キャップ部分が、前記心棒部分を引き離すための前記第２の位置にあるとき、前記テーパ状通路内に移動可能な楔部材と、
前記楔部材を移動するための駆動手段と、
前記第２のスライド部材は、第１及び第２の押し下げ部分が互いに対して移動するように機械的に接続された前記押し下げ部分を含み、前記第２のスライド部材は、前記プリフォームの前記円筒状孔が前記分割心棒を受け入れるとき、前記一体プリフォーム上のボルトシートショルダに前記第１及び前記第２の押し下げ部分を接触させるように動作可能であり、
前記第２のスライド部材を前記心棒の方へ促すことにより、前記一体プリフォームを適所に固定保持する構造と、
前記テーパ状通路を通って前記楔部材を移動させて、前記心棒部分を引き離し、前記プリフォームをベアリングキャップと連接棒に破砕することとを含む装置。
【請求項２】
前記第１及び第２の押し下げ部分が、一体形部分として移動する請求項１に記載の装置。
【請求項３】
前記第２のスライド部材が、前記第１及び第２の押し下げ部分を一体接続する接続部分を含み、前記構造は前記接続部分を促す請求項２に記載の装置。
【請求項４】
前記構造が、前記心棒の方へ前記第１及び第２の押し下げ部分を押し進めるカム表面を含む請求項１に記載の装置。
【請求項５】
前記構造が、前記第１及び第２の押し下げ部分の移動に対して一般的に横断する方向に滑動する部材を含み、前記カム表面は前記第１及び第２の押し下げ部分を前記心棒の法へ押し進める請求項４に記載の装置。
【請求項６】
前記楔部材に対して前記心棒の前記本体部分の位置を調節するためのテーパ状スペーサを含む請求項１に記載の装置。
【請求項７】
前記テーパ状スペーサが、前記心棒の前記本体部分を垂直方向に調節するように水平方向に移動する請求項６に記載の装置。
【請求項８】
前記心棒の前記本体部分に対する前記テーパ状スペーサの適切な位置整合を維持するために、前記ベースと前記テーパ状スペーサとの間に位置する取り付けスペーサを含む請求項７に記載の装置。
【請求項９】
前記心棒の前記本体部分と前記ベース内のキー溝内に位置するキーとの間に位置する第２のスペーサをさらに含み、前記第２のスペーサが、前記心棒の前記本体部分を前記楔部材と位置整合させるために調節可能な幅を含む請求項１に記載の装置。
【請求項１０】
円筒状孔を有する、プリフォームをベアリングキャップと連接棒に分離する装置であって、
間に通路を規定する第１の心棒部分と第２の心棒部分を含む心棒であって、前記第１の心棒部分は、前記通路を楔と位置整合させるために調節可能である、心棒と、
前記第２の心棒部分と一体形成される横方向の縁部を有する心棒スライドと、
前記第２の心棒部分が、前記第１の心棒部分から間隔を置いて離れた位置にある第１の位置と、前記第１の心棒部分に隣接した位置にある第２の位置との間で移動可能なことで、実質的に円筒状の本体を規定し、
前記第１の心棒部分と前記第２の心棒部分を前記第１の方向に引き離すように、前記通路に選択的に入る楔とを含む装置。
【請求項１１】
前記第１の心棒部分を部分的に支持するテーパ状部材をさらに含み、前記テーパ状部材は、前記第１の心棒に対して横方向に移動可能であり、横方向の移動が前記第１の心棒部分を縦方向に移動するようなテーパ状表面を含む請求項１０に記載の装置。
【請求項１２】
前記第１の心棒部分を部分的に支持するベースを含み、前記ベースが、前記第１の信号から間隔を置いて引き離されたキー溝スロットと、前記キー溝スロット内に位置するキーと、前記キーと前記第１の心棒との間に位置するスペーサとを含み、前記スペーサが、前記楔に対して前記第１の心棒部分を固定するような大きさである請求項１０に記載の装置。
【請求項１３】
円筒状孔及び間隔を置いて引き離された２つのボルトシートショルダを規定するように構成された一体プリフォームを、ベアリングキャップと連接棒に破砕分離するプロセスであって、
ａ）テーパ状の内部通路を規定するように、上側心棒部分に対して下側心棒部分を調節することと、
ｂ）円筒状の心棒部分にわたって前記プリフォームの円筒状孔を取り付けることと、
ｃ）前記心棒の方向に前記ボルトシートショルダを押圧することにより、前記心棒にわたって前記プリフォームを適所に保持することと、
ｄ）前記プリフォームを適所に保持しながら、前記心棒部分を引き離すことにより、前記プリフォームをベアリングキャップと連接棒に破砕することとを含むプロセス。
【請求項１４】
前記ステップｃは、楔部材を前記通路内に押し進めることにより実行される請求項１３に記載のプロセス。
【請求項１５】
ステップａ）は、前記楔部材に対して前記下側心棒部分を位置整合するステップをさらに含む請求項１３に記載のプロセス。
【請求項１６】
前記下側心棒部分を垂直方向に位置整合するようにテーパ状部材を移動させるステップと、前記テーパ状部材とベース部分との間に挿入されたスペーサで前記テーパ状部材を固定するステップとを含む請求項１５に記載のプロセス。
【請求項１７】
キー溝内に位置するキーを含むベース部分に対して前記下側心棒を水平方向に移動するステップと、前記下側心棒と前記キーとの間にスペーサを設置することにより、前記キー溝に対して前記下側心棒を固定するステップとを含む請求項１５に記載のプロセス。
【請求項１８】
前記心棒の前記上側部分が、前記心棒の前記下側部分に対して固定された案内路において案内される第１のスライド部材に対して固定されることにより、前記部分が引き離されるとき、前記第１のスライドが、前記案内路に沿って移動する請求項１３に記載のプロセス。
【請求項１９】
ステップｃは、ベアリングキャップになることを意図された前記プリフォームの部分の片側で、静的ロケータと動的ロケータとの間で締め付け作用を用いることと、連接棒になることを意図された前記プリフォームの部分の片側で、さらなる静的ロケータとさらなる動的ロケータとの間で締め付け作用を用いることとをさらに含む請求項１３に記載のプロセス。
【請求項２０】
前記心棒の前記上側部分が、前記心棒の前記下側部分に対して固定された案内路において案内される第１のスライド部材に対して固定されることにより、前記部分が引き離されるとき、前記第１のスライド部材が、前記案内路に沿って移動する請求項１３に記載のプロセス。
【請求項２１】
ステップｃ）が、ベアリングキャップになることを意図された前記プリフォームの部分の片側で、静的ロケータと動的ロケータとの間で締め付け作用を用いることと、連接棒になることを意図された前記プリフォームの部分の片側で、さらなる静的ロケータとさらなる動的ロケータとの間で締め付け作用を用いることとをさらに含む請求項２０に記載のプロセス。
【請求項２２】
ステップｂ）が、前記第１の案内路と実質的に平行な前記第１のスライド部材に設けられたさらなる案内路において移動可能な第２のスライド部材上に間隔を置いて設けられた突出部を、前記ボルトシートショルダに対して促すことにより実行され、前記促し動作は、カム手段により達成される請求項２１に記載のプロセス。
【発明の詳細な説明】
【技術分野】
【０００１】
発明の背景
本発明は、連接棒プリフォームを連接棒及びベアリングキャップに破砕分離し、大量生産環境において分離された部分を確実に再結合できることに関する。
【０００２】
実験室及び生産環境の両方で、破砕により連接棒プリフォームを分離するために多くの従来の方法が用いられてきた。これらの方法は、破砕領域を脆化させるために極低温冷却や電子ビーム露光することと、連接棒プリフォームからベアリングキャップを分離させる反対方向の引張り力により破砕分離することとを含む。これらの方法の進展にかかわらず、破砕分離に重要な要素に、完了した連接棒の品質にかかわる課題を残したままである。このような課題の１つは、連接棒の両脚部の破砕面に沿って同時に破砕を達成することである。同時に破砕を達成できないと、クランク穴が塑性変形を起こし、２つの部分の再結合が許容範囲外のものになってしまう。両脚部を同時に破砕するには、分離機構とプリフォームを正確に位置整合する必要がある。
【０００３】
別の課題は、大量生産応用において分離後の正確な再位置整合を確保するために、連接棒本体に対して分離されたベアリングキャップの能動的制御を維持することを含む。分離後に破砕された部品を適切に再位置整合できないと、破砕分離製造プロセス特有の利点が失われることになる。
【０００４】
発明の概要
したがって、分離された部品の適切な再組み立て及び位置整合を確保しながら、プリフォームをベアリングキャップ及び連接棒に破砕分離するための高速生産プロセスを開発することが望まれる。
【０００５】
開示される実施形態には、調節可能な心棒の部分間で駆動される楔に結合された二重スライドラムを用いて、プリフォームをベアリングキャップ及び連接棒に破砕分離するための装置が含まれる。
【０００６】
本発明のプロセスは、周囲条件下で実行され、事前のプリフォームの脆化が不要である。ストレスライザが、破砕開始位置を制御する。ストレスライザは、プリフォームに機械加工されたＶ字形の切り目を含む。また、ストレスライザは、レーザビームを利用してあけた一連の穴を含む。工作物保持装置が、選択された製造基準点及び部品特徴に対して、連接棒プリフォームを保持し位置決めする。この機構には、２つの部分からなる心棒に挿間された横方向の楔に結合された二重スライドラムが含まれ、作動されると、プリフォームがベアリングキャップと連接棒とに破砕分離される。
【０００７】
工作物保持装置は、分離及び再係合中に適切な位置整合を維持する製造基準点に連接棒プリフォームを位置決める。工作物保持装置は、精密スライド上に支持される。工作物保持装置の下側部分が、連接棒本体をスライドに固定し、連接棒の動きを抑制する。工作物保持装置の上側部分は、精密スライド上で可動のサドルに取り付けられた連接棒でベアリングキャップを位置決め保持する。
【０００８】
このような仕組みにより、ベアリングキャップは、連接棒本体に対して高精度の位置整合を維持しながら、分離中、連接棒本体と無関係に移動することができる。本発明の仕組みにより、分離中にベアリングキャップが回転する傾向が実質的に低減することで、連接棒の両脚部の同時破砕が助長される。分離後、ばねがベアリングキャップを連接棒の方へバイアス付与して、分離されたベアリングキャップが連接棒に再係合される。
【０００９】
本発明の実施形態には、ベース部材と、ベース部材に対して固定されたガイド部材とが含まれる。ガイド部材は、第１の方向に延在する第１の案内路を規定する。ガイド部材に設けられた第１のスライド部材が、第１の方向の第１の案内路に沿って滑動する。また、第１のスライド部材は、同様に第１の方向に延在する第２の案内路を規定する。第１のスライド部材に取り付けられた第２のスライド部材が、第２の案内路内で第１のスライド部材に対して滑動する。分割心棒が、第１のスライド部材に対して固定された上側部分と、ベース及び楔部材に対して可動の下側部分とを含むことにより、プリフォームとの適切な位置整合が行われる。調節を行うには、テーパ状部材を横方向に動かして、楔部材に対して心棒を上昇または下降させる。テーパ状部材を水平方向に動かすと、楔部材に対して調節するために、心棒の下側部分を垂直方向に持ち上げる。また、下側楔部材は、ベース内のキー溝に位置するキーと隣接する第２のスペーサを適切な大きさにすることで、水平方向に調節される。
【００１０】
楔部材は、心棒部分により規定されるテーパ状通路に入り、心棒を広げて、所望の位置でプリフォームを破砕させる。駆動手段が、テーパ状通路を通る楔部材を動かす。
【００１１】
本発明の別の実施形態は、プリフォームをベアリングキャップ及び連接棒に破砕分離する方法である。このプロセスは、上側部分及び下側部分を含む実質的に円筒状の心棒にプリフォームの円筒状の孔を与えるステップを含む。この方法は、心棒の方向にプリフォームにわたってボルトシートショルダを押圧することにより、プリフォームを心棒の適所に保持し、さらに、プリフォームを適所に保持して心棒部分の間に楔部材を推し進めることにより、心棒を引き離すことにより実行される。
【００１２】
本発明の装置及び方法により、大量生産製造環境において、破砕された半分を適切に位置整合しながら、プリフォームがベアリングキャップ及び連接棒に一貫して繰り返し可能に破砕分離される。
【００１３】
好ましい実施の形態の詳細な説明
図１、図２、及び図３を参照すると、分離ステーションの工作物保持装置１６に、連接棒１２及びベアリングキャップ１４を含む分離前のプリフォーム１０が位置決めされ固定される。プリフォーム１０は、円筒状の孔１８と、間隔を置いて引き離された２つのシートショルダ２０及び２２内に閉じ込められる。この装置１６は、破砕の前後の両方で、ベアリングキャップ１４を保持する。ベアリングキャップ１４は、図２及び図３に最良に示す小型スライドアセンブリ２４を使用して保持される。
【００１４】
矢印２８（図２）の方向に沿って水平方向に移動するように、スライドユニット２６が取り付けられる。スライドユニット２６には、分割心棒５８の下側部分３２及びガイド部材３４に隣接したベース部材３０が固定される。ガイド部材３４は、２つの反対方向に延在する矩形レセス３８（図３）を含む第１の案内路３６を規定する。第１の案内路３６は、矢印２８と垂直の方向に延在する。第１のスライド部材４０が、垂直方向に第１の案内路３６に沿って滑動するようにガイド部材３４に設けられ、それ自体が、第１の案内路３６の方向と平行な第２の案内路４４を規定することに寄与する。第２のスライド部材４６は、第１のスライド部材４０とスライドアセンブリカバー４８との間に上側部分が捕らえられた矩形断面からなる。カバー４８は、矩形レセス５０を規定し、第１のスライド部材４０にカバー４８を確実に位置決めするための横方向の接続５２を有する。カバー４８を第１のスライド部材４０に固定するために、螺装された留め具５４が利用される。
【００１５】
図２を参照すると、第１のスライド部材４０は、分割心棒５８の上側部分５６を一体支持する。第１のスライド部材４０が、ガイド部材３４に対して上向きに移動すると、分割心棒５８の上側部分５６は、下側部分３２から離れるように上向きに移動する。分割心棒５８の軸は、矢印２８と実質的に平行な方向にあり、したがって、第１の案内路３６に対して垂直である。心棒５８の上側部分５６と下側部分３２の両方で、破線で示すテーパ状の内部通路６０を規定する。通路６０は、通路６０を通るように駆動される楔部材６２が心棒部分５６及び３２を引き離すように構成される。通路６０は、実質的に水平方向の内側部分６４と、傾斜した上側部分６６とを有する。それに応じるように、楔部材６２の左寄りの縁が構成される。このような構成にする目的は、下側心棒３２に対して下向きの力をかけないようにすることと、上側部分５６に対して上向きの力を最大限にすることである。
【００１６】
図３は、楔部材に対して下側心棒３２がどのように可動であるかを明確に示すために、多数の部品を取り除いた状態の装置１６の略図である。下側心棒３２は、テーパ状通路６０が楔部材６２と位置整合するように楔部材６２に対して移動する。テーパ状部材１０４が、心棒３２の下側部分を支持し調節する。テーパ状部材１０４は、下側心棒３２とベース部材３０との間に配置される。テーパ状部材１０４が横方向に移動すると、楔部材６２に対して水平方向上向きに下側心棒３２が持ち上がる。楔部材６２に対して下側心棒３２の位置を決めることにより、不適切な位置整合により生じるダメージが回避される。
【００１７】
テーパ状部材１０４は、楔部材６２に対して心棒３２の下側部分を上向きに持ち上げるように水平方向に動かされる。下側心棒３２が楔部材３２と位置整合されると、テーパ状部材１０４とベース３０との間に、第１のスペーサ１０６が配置される。スペーサ１０６の大きさは、位置整合後のテーパ状部材１０４の位置に対応するものである。さらに、単にスペーサ１０６を異なるサイズのスペーサに取り替えるだけでも、位置整合が可能である。さらに、テーパ状部材１０４の整合された位置は、螺装された留め具１１６により固定される。下側心棒３２の位置整合は、機械の初期設定時に行われることが好ましい。認識されているように、下側心棒３２を位置整合することにより、楔部材６２がベース３０の方へ下向きに屈曲しなくなり、楔部材６２と心棒５８へダメージを及ぼす可能性が防止される。
【００１８】
心棒３２の下側部分の水平方向の位置整合は、ベース３０内に機械加工されたキー溝スロット１１２内のキー１１０に対して配置された対応する大きさの第２のペーサ１０８により達成される。第２のスペーサ１０８は、心棒３２の下側部分を楔部材６２と位置整合するような位置決定に必要な正確な許容差で機械加工される。また、下側心棒３２を楔部材６２に対して適切に水平方向に位置整合すると、破砕動作中、心棒６２によりプリフォーム１０に実質的に上向きの力がかかることになる。下側心棒３２を楔部材６２に対して水平方向に位置整合すると、ベアリングキャップ１４と連接棒１２との破砕分離の均一性が実質的に高められる。
【００１９】
図２を参照すると、信号５８の上側部分５６及び下側部分３２の両方で、テーパ状の内部通路６０を規定する。通路６０は、楔部材６２を受け入れて、心棒部分５６及び３２を引き離す。通路６０は、実質的に水平方向の下側部分６４と、傾斜した上側部分６６とを有する。このような構成の目的は、下側部分６６にかかる下向きの力を回避し、上側部分５６に対する上向きの力を最大限にすることである。楔部材６２を動かすための駆動手段は、油圧または空気圧シリンダ６８であることが好ましい。認識されているように、楔部材６２が、当業者に公知のこのような任意の駆動手段により作動されることは、本発明の意図する範囲内のものである。
【００２０】
図５を参照すると、まず、テーパ状の内部通路の接触面に予荷重をかける低力レベルで、楔部材７０がテーパ状通路６０と接触する。その後、別の高速ラム７２が楔部材７０に衝撃を与えて、プリフォームをベアリングキャップ１４と連接棒１２に分離させる。楔部材７０の予荷重が弛みをとり、テーパ状通路６０を規定する上側部分５８及び下側部分３２に自由走行や無駄な動きをさせない。ラム７２は、シリンダ７６において移動するピストン７４の端部である。楔部材７０の位置は、楔部材７０に固定されたフランジ７９に略図的に示した補助シリンダ７８により制御される。
【００２１】
図６を参照すると、楔部材７０は、楔部材７０に固定されているより大きな油圧シリンダにより、内部通路内にさらに押し進められて、プリフォームをベアリングキャップ１４と連接棒１２に分離する。より大きな油圧シリンダは楔部材７０に固定されているため、楔部材７０への衝撃はない。この実施形態において、位置決めシリンダ１１８が、楔部材７０をテーパ状通路６０内の予荷重状態に移動させる。カップリング１２２が、駆動シリンダ１２０のシャフト１２４を楔部材７０に結合する。前の実施形態の場合のように、楔部材７０への衝撃はない。駆動シリンダ１２０は、プリフォーム１０の破砕分離を行うのに必要な力及び速度で動作する。
【００２２】
楔部材７０への衝撃をなくすことで、破砕プロセス中、より大きな力制御が要求される状況下のような特定の応用において、一貫性及び制御が得られる。楔部材７０に十分な大きさの力を与えて、プリフォーム１０をベアリングキャップ１４と連接棒１２に分離するために、当業者に公知の任意のタイプのデバイスを使用することは、本発明の意図する範囲内のものであることを理解されたい。
【００２３】
図１及び図２を参照すると、第２のスライド部材４６は、突出部８２及び８４を支持する幅広部分８０を有し、これらの突出部は、プリフォーム１０の円筒状孔１８が分割心棒５８を受け入れる間、ボルトシートショルダ２０及び２２と接触するように適応される。カム部材８６が、第２のスライド部材４６を心棒７０の方へ選択的に促し、一体プリフォーム１０を適所に固定保持する。楔部材７０は、テーパ状通路６０に入り、上側心棒部分５６を下側心棒部分３２から離れるように上向きに押しやることにより、プリフォーム１０をベアリングキャップ１４と連接棒１２に破砕する。
【００２４】
カバー４８は、レセス５０の両側への水平方向の矩形通路８８を規定する。カム部材８６は、矢印９０に沿って力により移動するように適応されたＺ字形のカムである。第２のスライド部材４６の上側部分は、通路９２と同じ傾斜をもつカム８６の中央部分９４を受け入れるためのスリップ用通路４０を規定するように機械加工される。カム部材８６が左方向（図１の場合）に移動すると、第２のスライド部材４６は、下向きに移動することになる。
【００２５】
図１に、保持ロケータ１４〜１７が略図的に示されている。ロケータ９６及び９８は固定され、リテイナ１００及び１０２は、プリフォーム１０に左方向に一定の力をかけるように可動であり、プリフォームをロケータ９６及び９８に対してしっかりと着座させる。ロケータ９６、９８、１００、及び１０２は、ベアリングキャップ１４になるように意図されたプリフォーム１０の部分の一方側と接触するように適応される第１の静的ロケータ９６と、連接棒１２になるように意図されたプリフォーム１０の部分の一方側と接触するようにされた第２の静的ロケータ９８とを含む。図１の右側において、動的ロケータ１００は、ベアリングキャップ１４になるように意図されたプリフォーム１０の部分の他方側と接触するように適応され、第２の動的ロケータ１０２は、連接棒１２になるように意図されたプリフォーム１０の部分の他方側と接触するように適応される。動的ロケータ１００及び１０２は、ばねなどの弾性手段を使用することにより左方向に促されることができる。ロケータ９６及び１００は、第１のスライド部材４０上に設けられるのに対して、ロケータ９８及び１０２は、ベース部材３０上に設けられる。
【００２６】
本発明は、プリフォーム１０をベアリングキャップ１４と連接棒１２に破砕分離するためのプロセスを含む。このプロセスは、分離する上側部分５６及び下側部分３２を含む実質的に円筒状の心棒５８にわたってプリフォーム１０の円筒状孔１８を取り付ける力を必要とする。プリフォーム１０心棒５８の適所に保持すると、突出部８２及び８４は、心棒５８の方向にボルトシートショルダ２０及び２２に対して下向きに押される。このプロセスは、楔部材６２を心棒の半分５６及び３２の間に押し進めることにより継続する。カバー４８とともに分割心棒５８の一体部分５６を有する第１のスライド部材４０と、第２のスライド部材４６は、それらの間に押し進められた楔部材６２に応答して上向きに移動する。楔部材６２が心棒５８を通るように押し進められる際、心棒５８の下側部分３２、ガイド部材３４、及びスライドユニット２６のベース部材３０はすべて、楔部材６２に対して静止したままである。
【００２７】
プリフォーム１０の破砕分離が完了すると、楔部材６２は、心棒の半分５８及び３２から引き出されて、第１のスライド部材４０は、分離前位置に戻る。楔部材が取り除かれると、第１のスライド部材４０は、参照番号１１４で略図的に示すスライドを備えたばねなどの線形力を用いて下向きに戻る。プリフォーム１０の破砕分離後、ベアリングキャップ１４は、線形力デバイス１１４により下向きに押し進められることにより、連結棒部分１２と再係合される。
【００２８】
動作中、工作物保持装置１６は、まず、ロケータ９６〜１０２によりプリフォーム１０を所望の位置に把捉し位置付けることにより、プリフォーム１０の破砕分離を実行するように機能する。第２のスライド部材４６は、突出部８２及び８４が干渉しないように上向きに退く。プリフォーム孔１８は、分割心棒５８と係合する。連接棒１２とベアリングキャップ１４は、分割心棒５８と、ボルトシートショルダ２０及び２２と接触する突出部８２及び８４との間で保持される。その後、楔部材７０は、テーパ状通路６０内に駆動されて、下側心棒３２から離れるように上側心棒５８を上向きに駆動する。破砕分離後、楔部材７０は、テーパ状通路６０から引き出される。その後、突出部８２及び８４により構成されるベアリングキャップの保持が解除される。分割心棒５８とラムスライドアセンブリは、スライドユニット２６を移動させることにより、連接棒から解除される。ロケータ９６〜１０２は、プリフォーム１０から解除され、ベアリングキャップ１４を連接棒１２に固定するためにボルトが使用される。
【００２９】
縦方向の形態の連接棒プリフォーム１０を用いて本発明を記載及び図示してきたが、特定の部分の形態は、本発明を限定するものではない。本発明のプロセス及び装置は、任意の所望の形態にある連接棒を用いて実行可能である。したがって、認識されているように、方向を変えるだけでなく、互いに対して同様の形態にさまざまなスライドアクチュエータ及びクランプが配置されることになる。
【００３０】
上記記載は、例示的なものであって、実質的な記載ではない。本発明は、説明用に上述され、使用した用語は、言葉の性質上、限定ではなく描写を意図したものであることを理解されたい。上記教示の点から、本発明の多くの修正及び変更が可能である。本発明の好ましい実施形態を開示してきたが、当業者であれば、本発明の範囲内で修正がなされることが認識されるであろう。添付の特許請求の範囲内において、特別に記載されていないかぎり、本発明が実施されてよいことを理解されたい。このような理由から、特許請求の範囲は、本発明の真の範囲及び内容を決定するために熟考されるべきものである。
【図面の簡単な説明】
【００３１】
本発明のさまざまな特徴及び利点は、一般的に好ましい実施形態の以下の詳細な記載から当業者に明らかになるであろう。詳細な記載に伴う図面については、図面の簡単な説明において簡潔に記載する。
【図１】分離ステーションの正面を向いた正面図である。
【図２】分離ステーションの側面図である。
【図３】プリフォーム及び分割心棒の正面図である。
【図４】図２の線３−３及び図１の線３−３に沿って切り取った断面図である。
【図５】楔部材を駆動するための高速ラムの略図である。
【図６】楔を駆動するための駆動形態の略図である。
【図１】
2005523824.tif 000003
【図２】
2005523824.tif 000004
【図３】
2005523824.tif 000005
【図４】
2005523824.tif 000006
【図５】
2005523824.tif 000007
【図６】
2005523824.tif 000008
【国際調査報告】
2005523824.tif 000009
2005523824.tif 000010